(57)【要約】【課題】  スーパーなどの買物入れ用のバスケットにおいて、バスケット内に商品を区分けするための仕切壁を倒したり立てたりする煩わしさを解消し、しかもバスケットを積み重ねることが可能とした構造の買物入れ用のバスケットを提供する。【解決手段】  底４に向かってやや先すぼみの長方体からなり内部の中央部に仕切壁９を有する買物入れ用のバスケット１において、その内部にバスケット１の長手方向を二分して底４から上部位置に至る高さ位置に上端１１ａを有する仕切壁９を設け、この仕切壁９の形状を断面逆Ｖ字状とし、その底を開口部１１として空けており、さらに、上記の仕切壁９の上端１１ａを底４からバスケット１の高さの三分の二の高さとしたスーパーなどの買物入れ用のバスケット１である。【選択図】      図１
0003114434.tif 000002
【実用新案登録請求の範囲】
【請求項１】
底４に向かってやや先すぼみの長方体からなり内部の中央部に仕切壁９を有する買物入れ用のバスケット１において、バスケット１の内部にバスケット１の長手方向を二分して底４から上部位置に至る高さ位置に上端１１ａを有する仕切壁９を設け、この仕切壁９の形状を断面逆Ｖ字状とし、かつ、逆Ｖ字状の仕切壁９の底を開口部１１として空けていることを特徴とするスーパーなどの買物入れ用のバスケット１。
【請求項２】
上記の上部位置に至る高さ位置に設けた上端１１ａは、底４からバスケット１の高さの三分の二の高さ位置にあることを特徴とする請求項１に記載のスーパーなどの買物入れ用のバスケット１。
【考案の詳細な説明】
【技術分野】
【０００１】
この考案は、スーパーなどのショッピングカートなどに載置できる店内に備え付けの買物入れ用のバスケットに関し、特にバスケット内を二つに区分けした買物入れ用のバスケットに関する。
【背景技術】
【０００２】
従来のスーパーなどにおいて、買う商品を入れる買物入れ用のバスケットはショッピングカート用としてプラスチック素材あるいは金属素材からなる長方体のバスケットからなっている。このバスケットの上面は品物を入れるために開放され、多数の孔をあけた側壁及び底を有し、買う商品が孔の隙間を通して透視できる構造となっている。さらに、これらの長方体のバスケットは店内で積み重ねて置かれているので、長方体のバスケットは底側に向かってやや先すぼみの長方体からなっている。この長方体のバスケットは、おおよそ、高さが２６ｃｍ、上部の長手方向の側壁の長さが４６ｃｍ、短手方向の側壁の長さが２９ｃｍで、経験的にスーパーなどの日常の食料品などの大きさに適合するような大きさとされている。このバスケットの長手方向の側壁の上端には、長手方向の長さを３等分する位置にバスケットの持ち手を回転自在に通して係止する回転孔を有する突起を設け、この突起の孔に長手方向に倒したときにバスケットの短手方向の上端の上に重なって邪魔にならない大きさの持ち手が２本取り付けられている。
【０００３】
これらのスーパーなどに備え付けの買物用の商品を入れるバスケットは、日常の食料品などが最も多く入れられる。ところで、これらの日常の食料品などの購入しようとするものを、買い物客は店内の商品棚から取り出してバスケットに入れ、この商品の入ったバスケットを購入するために、レジのカウンター台に差し出す。これを受けて、店員はレジのカウンター台上に空のバスケットを置き、買物の入ったバスケットから商品を取り出し、その一つ一つのバーコードを読み取り購入代金をレジで集計しながら、商品を空のバスケットに入れていく。この場合、商品が痛まないようにするために、商品の重いものを先にバスケットの下部に入れ、軽いものをその上に載せている。このようにしてレジでの支払いが済むと、買い物客は商品の入ったバスケットを詰め替え用台上に移し、そこで持ち帰り用袋に詰め替える。この場合、持ち帰り用袋に重い品物を下になるように入れるため、再びバスケット上部に積まれた軽い商品を脇に取り出し、重い商品を選び出し、これを持ち帰り用袋に先に入れねばならない。このため、時間のロスが生じるので詰め替え用台のスペースも広い場所が必要になる。
【０００４】
ところで、従来、スーパーなどの買物入れ用のバスケットに買うための商品を混載すると、上記のような煩わしさが生じていたので、このような事態を解消するために買物入れ用のバスケット内に一時的な分割のための仕切壁を設けたものが種々考案されている。このようなものとして、不要時に倒しうる仕切壁を設けたものが提案されている（例えば、特許文献１参照。）。さらに、不要時に倒しうる仕切壁を設けたものが提案されている（例えば、特許文献２参照。）。また、バスケット内に境界用の突起を設けたものが提案されている（例えば、特許文献３参照。）。しかし、前者の２件のものは仕切壁を立てたり倒したりする煩わしさがあり、さらに仕切壁を立てたままでは積み重ねることができず、後者の１件は境界用の突起が低く、仕切としての役割が十分でないなどの問題がある。さらに、このような仕切壁を倒したり、立てたりする構造とすることで、蝶番などの部品の数が増え、それを取り付ける手間がかかるなど、このようなバスケットを製造するためのコスト増の問題があった。
【０００５】
【特許文献１】実開平４−１３２０３７号公報
【特許文献２】特開平７−４７０１０号公報
【特許文献３】特開平１０−１５７７３９号公報
【考案の開示】
【考案が解決しようとする課題】
【０００６】
この考案が解決しようとする課題は、スーパーなどの買物入れ用のバスケットにおいて、バスケット内に商品を区分けするための仕切壁を倒したり立てたりする煩わしさを解消し、しかもバスケットを積み重ねることを可能とした構造の買物入れ用のバスケットを提供することである。
【課題を解決するための手段】
【０００７】
上記の課題を解決するための本考案の手段は、請求項１の考案では、底４に向かってやや先すぼみの長方体からなり内部の中央部に仕切壁９を有する買物入れ用のバスケット１において、バスケット１の内部にバスケット１の長手方向を二分して底４から上部位置に至る高さ位置に上端１１ａを有する仕切壁９を設け、この仕切壁９の形状を断面逆Ｖ字状とし、かつ、逆Ｖ字状の仕切壁９の底を開口部１１として空けていることを特徴とするスーパーなどの買物入れ用のバスケット１である。
【０００８】
請求項２の考案では、上記の上部位置に至る高さ位置に設けた上端１１ａは、底４からバスケット１の高さの三分の二の高さ位置にあることを特徴とする請求項１の手段のスーパーなどの買物入れ用のバスケット１である。
【考案の効果】
【０００９】
本考案は、スーパーなどに備え付けの買物入れ用のバスケットは、底に向かってやや先すぼみの長方体で使用時に積み重ねて配置するバスケットにおいて、バスケットの内部にその長手方向を二分する仕切壁を配設しているので、多くの小物商品をその重さや軟らかさに応じて区分けして収納でき、しかも、この仕切壁を逆Ｖ字状としその底を開口部として空けているので、未使用時に多数のバスケットをその空のままの状態で積み重ねて載置でき、従来のバスケットのように仕切壁を倒してから積み重ねる手間を要せず、さらに仕切壁の高さを底から三分の二の高さ位置とするものでは、長さの長い商品を仕切壁の上部に載せて収納することができ、また製造コストが余分に係ることがないなど、本考案は優れた効果を奏するものである。
【考案を実施するための最良の形態】
【００１０】
本考案の実施の最良の形態を図面を参照して説明する。図１は本考案のスーパーなどの店の備え付けの買物入れ用のバスケット１の長手方向の側壁２および短手方向の側壁３の一部を切断して示す斜視図である。図２は本考案のバスケット１の底の背面側から見た部分断面図である。
【００１１】
スーパーなどの店の備え付けの買物入れ用のバスケット１は、一般には硬質プラスチックから成形されている。このバスケット１は、その底４に向かってやや先すぼみの長方体からなる。図１に示すように、本考案のバスケット１はその内部の中央部に仕切壁９を有する。すなわち、バスケット１の内部は、バスケット１の長手方向を二分し、底４から上部位置に至る高さ位置に上端１１ａを位置する仕切壁９を設けている。この仕切壁９の形状は、断面が逆Ｖ字状からなるものとする。図２に見られるように、この逆Ｖ字状の仕切壁９の底の部分は開口部１１として空いている。このように本考案のスーパーなどの買物入れ用のバスケット１は中央部にバスケット１の長手方向を区切る仕切壁９を有するので、買う品物をその大きさや重量あるいは品物の軟らかさに応じて、取り入れる箇所を区分することができる。
【００１２】
ところで、従来のスーパーなどの店の備え付けの買物入れ用のバスケットは仕切壁を有するものがある。しかし、この従来のものは、仕切壁の高さが低いものであるか、あるいは高い仕切壁であっても、この高い仕切壁は最下部に蝶番などを設けて、使用しないときには倒すことができるものであった。したがって、この従来のものでは、仕切壁を一々手で倒すことで、バスケットを積み重ねうるものとしていた。したがって、一般の買い物客はわざわざ倒す行為をする人は少なく、買い物袋に商品を移し入れた後、バスケットを積み重ねることなく放置するので場所をとっていた。
【００１３】
これに対し、本考案のバスケット１は、積み重ねるために、従来のもののようにわざわざ仕切壁９を倒す必要がないので、空のバスケット１は、そのままの状態で、下方のバスケット１の仕切壁９の上に積み重ねて挿入して所定置き場に戻すことができる。このように、一般の買い物客が買物袋に商品を移し入れた後、バスケット１を店内の所定の場所に積み重ねて戻すことができ、このために場所をとるようなことがない。
【００１４】
さらに、請求項２の考案の実施の形態では、上記のバスケット１の上部位置に至る高さ位置に設けた逆Ｖ字状の仕切壁９の上端１１ａは、バスケット１の底４からバスケット１の高さの三分の二の高さに位置するようにしたバスケット１である。このようにバスケット１の仕切壁９の上端１１ａの上のバスケット１の内部を仕切壁のないものとしたので、仕切壁９で区画された中に入りきらない長さの商品は、この仕切壁９の上に載置することで収納することができる。
【００１５】
この本考案のスーパーなどの店の備え付けの買物入れ用のバスケット１は硬質のプラスチックから一体成形して製造することができ、従来の仕切壁を有するバスケットのように蝶番で取り付ける必要がないので、製造時の手間も掛からず、また蝶番の部品代も不要であり、低コストで製造することもできる。なお、バスケット１の素材は硬質プラスチックとしたが、このように硬質プラスチックに限ることなく、金属ワイヤーなどの溶接によるものや板金加工によるバスケットとすることもできる。
【図面の簡単な説明】
【００１６】
【図１】本考案のスーパーなどの店の備え付けの買物入れ用のバスケットの側壁の一部を切断して示す斜視図である。
【図２】本考案のバスケット１の底の背面側から見た部分断面図である。
【符号の説明】
【００１７】
１  バスケット
２  長手方向の側壁
３  短手方向の側壁
４  底
５  上端
５ａ  突起
５ｂ  回転孔
６  持ち手
７  側壁の孔
８  底の孔
９  仕切壁
１０  仕切壁の孔
１１  開口部
１１ａ  上端
【図１】
0003114434.tif 000003
【図２】
0003114434.tif 000004